(57)【要約】【課題】被覆電線の導体を構成する複数の素線間に的確に止水材を浸透させる。【解決手段】複数の素線４１ａ，…，４１ａを備える導体４１と該導体４１の外周面を被覆する電気絶縁性の被覆材４２とを備える被覆電線１２に装着される接続端子１１は、接続対象物に接続するための接続部２２と、被覆電線１２を配置するためのベース板部２１と、被覆電線１２の被覆材被覆部を圧着固定するための被覆材圧着部２３と、被覆電線１２の導体露出部を圧着固定するための導電性の導体圧着部２４と、ベース板部２１の端部から延出する舌片部２５と、を備える。舌片部２５は、折り曲げられ、ベース板部２１に沿って延びる重畳部３１，３１と、被覆材圧着部２３と導体圧着部２４との間において、ベース板部２１からベース板部２１の表面に直交する方向に向かい突出するように設けられた突起状の起立部３２，３２と、を有してなる。【選択図】図１
2014110103.tif 000002
【特許請求の範囲】
【請求項１】
導体と該導体の外周面を被覆する電気絶縁性の被覆材とを備える被覆電線に装着される接続端子であって、
接続対象物に接続するための接続部と、
前記被覆電線を配置するための電線配置部と、
前記電線配置部に配置された前記被覆電線の被覆材被覆部を圧着固定するための被覆材圧着部と、
前記電線配置部に配置された前記被覆電線の導体露出部を圧着固定するための導電性の導体圧着部と、
前記電線配置部の端部から延出する舌片部と、を備え、
前記舌片部は折り曲げられ、
前記電線配置部に沿って延びる重畳部と、
前記被覆材圧着部と前記導体圧着部との間において、前記電線配置部から前記被覆電線に向かい突出するように設けられた突起状の起立部と、を有することを特徴とする接続端子。
【請求項２】
複数の前記起立部を備えることを特徴とする請求項１に記載の接続端子。
【請求項３】
前記電線配置部は、前記被覆材圧着部と前記導体圧着部との間において、
前記電線配置部に配置した前記被覆電線の外周を囲うように湾曲して形成された壁部と、
前記電線配置部の底面が前記被覆電線から離間するように形成された膨出部と、を有し、
前記接続部の接続面は、前記接続面に直交する方向において、前記電線配置部の前記膨出部の外面と面一の位置または前記電線配置部の前記膨出部の外面よりも外方側の位置に配置されていることを特徴とする請求項１または請求項２に記載の接続端子。
【請求項４】
請求項１から請求項３の何れか１つに記載の接続端子が装着された被覆電線の端末部に供給した止水材によって止水してなる電線端末の止水構造であって、
前記導体は複数の素線を備え、
前記起立部は前記電線配置部に配置された前記複数の素線間に挿入され、
前記止水材は、前記電線配置部において前記被覆材の端部および前記導体を被覆していることを特徴とする電線端末の止水構造。
【発明の詳細な説明】
【技術分野】
【０００１】
この発明は、接続端子および電線端末の止水構造に関する。
【背景技術】
【０００２】
従来、例えば、圧着端子が装着された被覆電線の端末部において、露出した導体から絶縁被覆に跨った部位に所定の液状シリコーンゴムを塗布することによって、端末部を防水するハーネスが知られている（例えば、特許文献１参照）。
【先行技術文献】
【特許文献】
【０００３】
【特許文献１】特許第４２９７２９３号公報
【発明の概要】
【発明が解決しようとする課題】
【０００４】
ところで、上記従来技術に係るハーネスによれば、単に、低粘度の液状シリコーンゴムを導体に塗布することによって、導体を構成する複数の素線間に浸透させるだけであり、例えば被覆電線に圧着端子が装着されて素線間の隙間が狭い場合などにおいては、液状シリコーンゴムを浸透させることが困難であるという問題が生じる。
【０００５】
本発明は上記事情に鑑みてなされたもので、被覆電線の導体を構成する複数の素線間に的確に止水材を浸透させることが可能な接続端子および電線端末の止水構造を提供することを目的としている。
【課題を解決するための手段】
【０００６】
上記課題を解決して係る目的を達成するために、本発明の第１の発明に係る接続端子は、導体（例えば、実施の形態での導体４１）と該導体の外周面を被覆する電気絶縁性の被覆材（例えば、実施の形態での被覆材４２）とを備える被覆電線（例えば、実施の形態での被覆電線１２）に装着される接続端子（例えば、実施の形態での接続端子１１）であって、接続対象物に接続するための接続部（例えば、実施の形態での接続部２２）と、前記被覆電線を配置するための電線配置部（例えば、実施の形態でのベース板部２１）と、前記電線配置部に配置された前記被覆電線の被覆材被覆部を圧着固定するための被覆材圧着部（例えば、実施の形態での被覆材圧着部２３）と、前記電線配置部に配置された前記被覆電線の導体露出部を圧着固定するための導電性の導体圧着部（例えば、実施の形態での導体圧着部２４）と、前記電線配置部の端部から延出する舌片部（例えば、実施の形態での舌片部２５）と、を備え、前記舌片部は折り曲げられ、前記電線配置部に沿って延びる重畳部（例えば、実施の形態での重畳部３１）と、前記被覆材圧着部と前記導体圧着部との間において、前記電線配置部から前記被覆電線に向かい突出するように設けられた突起状の起立部（例えば、実施の形態での起立部３２）と、を有してなる。
【０００７】
本発明の第２の発明に係る接続端子は、複数の前記起立部を備える。
【０００８】
本発明の第３の発明に係る接続端子では、前記電線配置部は、前記被覆材圧着部と前記導体圧着部との間において、前記電線配置部に配置した前記被覆電線の外周を囲うように湾曲して形成された壁部（例えば、実施の形態での壁部２１ｂ）と、前記電線配置部の底面が前記被覆電線から離間するように形成された膨出部（例えば、実施の形態での膨出部２１ａ）と、を有し、前記接続部の接続面（例えば、実施の形態での接続面２２Ａ）は、前記接続面に直交する方向において、前記電線配置部の前記膨出部の外面（例えば、実施の形態での外面２１Ａ）と面一の位置または前記電線配置部の前記膨出部の外面よりも外方側の位置に配置されている。
【０００９】
本発明の第４の発明に係る電線端末の止水構造は、第１の発明から第３の発明の何れか１つに記載の接続端子（例えば、実施の形態での接続端子１１）が装着された被覆電線（例えば、実施の形態での被覆電線１２）の端末部（例えば、実施の形態での端末部１３）に供給した止水材（例えば、実施の形態での止水材１４）によって止水してなる電線端末の止水構造（例えば、実施の形態での電線端末の止水構造１０）であって、前記導体は複数の素線（例えば、実施の形態での電線端末の素線４１ａ，…，４１ａ）を備え、前記起立部は前記電線配置部に配置された前記複数の素線間に挿入され、前記止水材は、前記電線配置部において前記被覆材の端部および前記導体を被覆している。
【発明の効果】
【００１０】
本発明の第１の発明に係る接続端子によれば、被覆電線が配置される電線配置部には、被覆電線に向かい突出するように設けられた突起状の起立部が舌片部によって形成されている。これにより、例えば導体が複数の素線を備える場合には、複数の素線間に起立部を挿入して、複数の素線間の隙間を増大させることができる。そして、例えば電線配置部に供給された止水材を導体の内部（つまり複数の素線間）に的確に浸透させることができる。
【００１１】
本発明の第２の発明に係る接続端子によれば、例えば導体が複数の素線を備える場合には、複数の素線間の異なる位置に複数の起立部を挿入して、複数の素線間の隙間を増大させることができる。これにより、例えば電線配置部に供給された止水材を導体の内部（つまり複数の素線間）に浸透させ易くすることができる。
【００１２】
本発明の第３の発明に係る接続端子によれば、電線配置部に膨出部と壁部を備えることによって、例えば電線配置部に供給された止水材を電線配置部と被覆電線との間に貯留することができるとともに、電線配置部に供給された止水材が外部に流出することを抑制でき、被覆電線の全周に亘って止水材の被覆を形成することができる。
さらに、接続端子の接続部を接続対象物に固定する場合に接続部の接続面を接続対象物に接触させる際に電線配置部の膨出部が干渉することを防止し、接続部の接続面を接続対象物に密着させることができる。
【００１３】
本発明の第４の発明に係る電線端末の止水構造によれば、止水材は、複数の素線間に起立部が挿入されることによって複数の素線間の隙間が増大した導体を被覆する。これにより、止水材は導体の内部（つまり複数の素線間）に浸透し易くなっており、所望の止水状態を容易に確保することができる。
【図面の簡単な説明】
【００１４】
【図１】本発明の実施の形態に係る電線端末の止水構造の斜視図である。
【図２】本発明の実施の形態に係る電線端末の止水構造の平面図および側面図である。
【図３】図２に示すＡ−Ａ線矢視図およびＢ−Ｂ線矢視図およびＣ−Ｃ線矢視図である。
【図４】本発明の実施の形態に係る電線端末の止水構造を分解して示す斜視図である。
【発明を実施するための形態】
【００１５】
以下、本発明の一実施形態に係る接続端子および電線端末の止水構造について添付図面を参照しながら説明する。
【００１６】
本実施の形態による電線端末の止水構造１０は、例えば図１から図４に示すように、接続端子１１が装着された被覆電線１２の端末部１３を止水材１４によって止水してなるものである。
【００１７】
接続端子１１は、例えば銅、黄銅（真鍮）などの良導電性の金属からなる１枚の金属板（金属薄板）によって形成された端子金具であって、細長板状のベース板部２１と、ベース板部２１から延出する板状片である接続部２２および被覆材圧着部２３および導体圧着部２４および舌片部２５と、を備えて構成されている。
【００１８】
ベース板部２１は、被覆電線１２を配置可能に形成され、例えば、ベース板部２１の長手方向に被覆電線１２の延在方向を一致させるようにしてベース板部２１上に載置された被覆電線１２の端末部１３を支持する。
【００１９】
接続部２２は、接続対象物（図示略）に接続可能に形成され、例えば、ベース板部２１の長手方向一端から該ベース板部２１に比べて幅広に延設され、ボルトなどによって接続対象物（図示略）に固定可能となるようにして、板厚を貫通して形成されたボルト装着孔２２ａを備えている。
【００２０】
なお、接続対象物（図示略）に接触する接続部２２の接続面２２Ａは、接続面２２Ａに直交する方向において、ベース板部２１の最外面２１Ａと面一の位置またはベース板部２１の最外面２１Ａよりも外方側の位置に配置されている。
これに伴い、例えば、接続部２２には長手方向に交差する方向に屈曲する屈曲部２２ｂが形成されている。
【００２１】
被覆材圧着部２３は、例えば、ベース板部２１の長手方向他端部においてベース板部２１の幅方向（つまり短手方向）両端から突出する突片状の１対の被覆材保持片部２３ａ，２３ａを備えている。
１対の被覆材保持片部２３ａ，２３ａは、例えば、ベース板部２１の長手方向に沿って配置された被覆電線１２の端末部１３の被覆材被覆部を、ベース板部２１の幅方向の両側から抱え込むように曲げ変形して、被覆電線１２の端末部１３の被覆材被覆部をベース板部２１に押さえ込んで圧着固定する。
【００２２】
導体圧着部２４は、例えば、ベース板部２１の長手方向で被覆材圧着部２３よりも一端側の位置において、被覆材圧着部２３と同様に、ベース板部２１の幅方向両端から突出する突片状の１対の導体保持片部２４ａ，２４ａを備えている。
１対の導体保持片部２４ａ，２４ａは、例えば、ベース板部２１の長手方向に沿って配置された被覆電線１２の端末部１３において被覆材４２の端末４２ａから露出する導体４１（導体露出部）を、ベース板部２１の幅方向の両側から抱え込むように曲げ変形して、被覆電線１２の端末部１３の導体露出部をベース板部２１に押さえ込んで圧着固定する。
【００２３】
舌片部２５は、ベース板部２１の端部、例えば被覆材圧着部２３と導体圧着部２４との間の央部などにおいてベース板部２１の幅方向両端から延出して折り曲げられ、ベース板部２１に沿って重なるようにそれぞれ延びる１対の重畳部３１，３１と、ベース板部２１からベース板部２１の表面に直交する方向に向かい突出するように設けられた突起状の１対の起立部３２，３２と、を形成している。
【００２４】
起立部３２は、例えば、ベース板部２１に載置された被覆電線１２の被覆材４２の端末４２ａから露出した導体４１を構成する複数の素線４１ａ，…，４１ａ間に挿入され、複数の素線４１ａ，…，４１ａ間の隙間を増大させる。
【００２５】
なお、ベース板部２１は、例えば、被覆材圧着部２３と導体圧着部２４との間において、ベース板部２１に載置された被覆電線１２から離間するように形成された膨出部２１ａを備え、膨出部２１ａの外面がベース板部２１の最外面２１Ａとなっている。
膨出部２１ａは、例えば、ベース板部２１上に配置された被覆電線１２とベース板部２１との間の隙間を大きくし、ベース板部２１に供給された流動性の止水材１４をベース板部２１との間に浸透させやすくする。
【００２６】
また、ベース板部２１は、例えば、被覆材圧着部２３と導体圧着部２４との間において、ベース板部２１上に載置された被覆電線１２を囲うように湾曲して形成された１対の壁部２１ｂ，２１ｂを備えている。
壁部２１ｂ，２１ｂは、例えば、ベース板部２１に供給された流動性の止水材１４を塞き止め、止水材１４が外部に流出することを抑制する。
【００２７】
被覆電線１２は、例えば、複数の素線４１ａ，…，４１ａからなる導体４１と、この導体４１の外周面を被覆する電気絶縁性の被覆材４２と、を備えて構成されている。
そして、被覆電線１２の端末部１３においては、例えば、所定長さに亘って被覆材４２が剥がされたことによって被覆材４２の端末４２ａから外部に突出するようにして導体４１が露出している。
【００２８】
止水材１４は、少なくとも、ベース板部２１に載置された被覆電線１２の端末部１３に供給されるとき、および導体４１の複数の素線４１ａ，…，４１ａ間に浸透するときにおいて流動性を有する樹脂などであって、被覆後においては硬化可能な、例えば紫外線硬化型や熱硬化型や自然硬化型などの硬化性の樹脂などであってもよい。
止水材１４は、例えば、被覆材圧着部２３と導体圧着部２４との間で被覆電線１２の端末部１３に供給されることによって、起立部３２が挿入された導体４１の複数の素線４１ａ，…，４１ａ間に浸透し、端末部１３を止水状態に被覆している。
【００２９】
なお、図１，図２（Ａ），図３（Ａ）〜（Ｃ），図４においては、止水材１４の図示を省略している。
【００３０】
上述したように、本実施の形態による接続端子１１によれば、１対の重畳部３１，３１は、ベース板部２１に供給される止水材１４が外部に流出することを抑制することができる。これにより、例えば止水材１４の流出を抑制するための特別な部材を別途設ける必要無しに、構成に要する費用が嵩むことおよび構成が複雑化することを防止することができる。
【００３１】
さらに、このベース板部２１には、被覆電線１２に向かい突出するように設けられた突起状の１対の起立部３２，３２が舌片部２５によって形成されている。これにより、導体４１を構成する複数の素線４１ａ，…，４１ａ間の異なる位置に１対の起立部３２，３２を挿入して、複数の素線４１ａ，…，４１ａ間の隙間を増大させることができる。そして、例えばベース板部２１に供給された止水材１４を導体４１の内部（つまり複数の素線４１ａ，…，４１ａ間）に的確に浸透させることができる。
【００３２】
さらに、ベース板部２１に膨出部２１ａを備えることによって、例えばベース板部２１に供給された止水材１４をベース板部２１と被覆電線１２との間に貯留することができ、被覆電線１２の全周に亘って止水材１４の被覆を形成することができる。
さらに、接続端子１１の接続部２２を接続対象物に固定する場合に接続部２２の接続面２２Ａを接続対象物に接触させる際にベース板部２１に膨出部２１ａが干渉することを防止し、接続部２２の接続面２２Ａを接続対象物に密着させることができる。
【００３３】
また、上述した本実施の形態による電線端末の止水構造１０によれば、止水材１４は、複数の素線４１ａ，…，４１ａ間に起立部３２が挿入されることによって複数の素線４１ａ，…，４１ａ間の隙間が増大している導体４１を被覆する。これにより、止水材１４は導体４１の内部（つまり複数の素線４１ａ，…，４１ａ間）に浸透し易くなっており、所望の止水状態を容易に確保することができる。
【００３４】
なお、上述した実施の形態において、舌片部２５は、各１対の重畳部３１，３１および起立部３２，３２を形成するとしたが、これに限定されず、１つの重畳部３１および起立部３２を形成してもよいし、さらに、多数の重畳部３１および起立部３２を形成してもよい。
【００３５】
また、上述した実施の形態において、舌片部２５は、ベース板部２１の幅方向両端から延出するとしたが、これに限定されず、ベース板部２１の他の端部から延出してもよい。
【符号の説明】
【００３６】
１０…電線端末の止水構造、１１…接続端子、１２…被覆電線、１３…端末部、１４…止水材、２１…ベース板部（電線配置部）、２１ａ…膨出部、２１ｂ…壁部、２１Ａ…外面（最外面）、２２…接続部、２２Ａ…接続面、２３…被覆材圧着部、２４…導体圧着部、２５…舌片部、３１…重畳部、３２…起立部、４１…導体、４１ａ…素線、４２…被覆材、４２ａ…端末
【図１】
2014110103.tif 000003
【図２】
2014110103.tif 000004
【図３】
2014110103.tif 000005
【図４】
2014110103.tif 000006